(57)【要約】      （修正有）【課題】睡眠中上唇と口腔前庭部の間に装着するもので、いびき解消の作用を発揮し、美容部門では豊麗線ケアにも用いる事が出来るいびき解消及び豊麗線ケア用口腔内装具を提供する。【解決手段】上唇と口腔前庭部の間に装着する口腔内装具であって、左右の第二小臼歯から第一大臼歯あたりの口腔前庭部を覆い口腔粘膜に影響を与えない軟性と平滑性を兼ね備えるものであって、平滑な表面を持つシリコンゴムａと軟性ウレタンのスポンジｃの２層一体構造であって、中央に上唇小帯に圧迫を加えないようにするための穴ｂが空いている構造である。装着時にはシリコンゴムａ部分を表面にするように長尺を維持する用に折りたたんで使用する。【選択図】図１
0003212458.tif 000002
【実用新案登録請求の範囲】
【請求項１】
上唇と口腔前庭部の間に装着するものであって、左右の第二小臼歯から第一大臼歯あたりまでの口腔前庭部を覆うように装着する口腔内装具であって、口腔粘膜に影響を与えない軟性と平滑性を兼ね備えるものであって、平滑面部と軟性スポンジ構造部を持ち、１層目の平滑面はシリコンであって、２層目は軟性のスポンジ構造を有する人体に安全なウレタン素材などで構成された２層一体構造である事を特徴とするいびき解消及び豊麗線ケア用口腔内装具。
【請求項２】
請求項１の特徴を持つ口腔内装具であって、非使用時は角に丸みを与えた長方形であって、各辺に弧を持った形状であってもよく、中央部には円形などの穴が空いており、全体を長軸に添い二つ折りにして上唇と口腔前庭部の間に挿入して使用する事を特徴とするいびき解消及び豊麗線ケア用口腔内装具。
【考案の詳細な説明】
【技術分野】
【０００１】
本考案は、いびき解消及び豊麗線ケア用口腔内装具に関する。
【背景技術】
【０００２】
睡眠中のいびきは、周囲に迷惑をかけるものであると共に、本人の健康に多大な影響を与えるものであって、睡眠時無呼吸症候群や高血圧、狭心症、心筋梗塞、脳卒中などの重大な合併症をも引き起こす事もある。
【０００３】
いびきは睡眠中にのみ発生する。覚醒中はたとえ仰臥位になっていたとしてもいびきは発生しない。睡眠時の筋肉コントロールが覚醒時とは異なる。睡眠中でも気道閉塞しづらく鼻呼吸するコントロールにする為には、口輪筋を伸張させることによって起こる口輪筋の収縮と共に発生する舌が上硬蓋へ密着するコントロールへ誘導する方法として、上唇と口腔前庭部の間に本発明品を挿入する事で、脳内でコントロール変化が起こり、いびきが解消される。
【０００４】
美容関連で豊麗線ケアを行う際、溝として存在する豊麗線は口輪筋を口腔内から膨れませて伸ばしてケアすることによってより一層の美容効果を達成する事ができる。
【先行技術文献】
【特許文献】
【０００５】
【特許文献１】特開2016-174890
【特許文献２】実用新案登録第3194178号
【特許文献３】実用新案登録第3106876号
【考案の概要】
【考案が解決しようとする課題】
【０００６】
従来、いびき防止を目的とする物は、人の解剖構造を物理的に解消することを目的とし作られており、睡眠中に装着してから起こる人の感覚反応系システムへのアプローチ、すなわち睡眠中のみ発生するいびきに対して、脳で起こるいびきをかく人体組織のコントロールを変更させる事を目的にしていない。
【０００７】
豊麗線ケアは美容関連で、皮膚表面からのアプローチが主に行われており、口腔内から伸ばすような方法は取られていない。
【課題を解決するための手段】
【０００８】
本考案は、上唇と口腔前庭部の間に挿入するいびき解消及び豊麗線ケア用口腔内装具であって、角に丸みを持たせた長方形または長辺に凹弧の変形を持ち、中央に円形などの穴が空いている物であって、口腔内粘膜に影響を与えない滑らかなシリコン層と長時間装着していても痛みを感じない軟性があるスポンジ構造の層の２層で構成されるものである。
【０００９】
使用時は、シリコン層が表面になるように長軸で２つ折りにして上唇と左右の第二小臼歯から第一大臼歯あたりの口腔前庭部の間に入れ、口腔前庭部を覆うように装着するものであって、上唇小帯を圧迫しないよう上辺中央に凹部が出来る事を特徴とする。
【考案の効果】
【００１０】
本考案を、上唇と左右の第二小臼歯から第一大臼歯あたりの口腔前庭部に装着する事によって、鼻腔は左右に拡張し、豊麗線は伸ばされる。
【００１１】
睡眠時に装着することによって、鼻腔は拡張して鼻呼吸がし易くなっており、炎症などの原因による鼻腔の閉塞がない限り、口呼吸は行われず、いびきはかかない。また、鼻炎などにより鼻腔の閉塞が起こった場合でも、容易に口呼吸が出来る為、呼吸困難になるなどの弊害は出ない。
【００１２】
装着時、口輪筋は伸ばされており、装着感覚と筋反応を利用し、脳でコントロールされている口蓋部や舌、咽頭、喉頭の筋肉コントロールを適正化し、この状態で閉口すると舌は上硬蓋へ密着するよう脳からコントロール指令が出て密着する。この作用により気道閉塞によるいびきの原因となる軟口蓋と舌根の位置コントロールが正常な位置に誘導され、いびきを出さない筋肉コントロールへ改善が起こる。
【００１３】
上唇と口腔前庭部の間に装着し、左右の第二小臼歯から第一大臼歯あたりまでの口腔前庭部を覆うように装着する事によって、豊麗線は口腔内部から持ち上げられ、引き伸ばされる。伸ばされた状態で、美容技術や美容鍼を受けることで、豊麗線軽減などの美容目的に合った結果を導き出せる。
【図面の簡単な説明】
【００１４】
【図１】本考案に係るいびき解消及び豊麗線ケア用口腔内装具の斜視図である。
【図２】同上の平面表面図である。
【図３】図2の長辺に凹弧の変形を有した形態の平面表面図である。
【図４】図2の長辺に凹弧の変形を有した形態の平面裏面図である。
【図５】図2の長辺の平面側面図である。
【図６】図2の短辺の平面側面図である。
【図７】いびき解消及び豊麗線ケア用口腔内装具の使用時斜視図である。
【図８】同上の使用時の正面平面図である。
【図９】図8の底面平面図である。
【図１０】図8の上面平面図である。
【図１１】図8の側面平面図である。
【考案を実施するための形態】
【００１５】
本考案は、食品衛生法適合のシリコンゴムと食品用のスポンジ構造を持つウレタンなどにより２層構造として製作されるいびき解消及び豊麗線ケア用口腔内装具であって、平滑な表面を持つシリコンゴムとウレタンスポンジは、シリコンゴムが液体から固体へと硬化する際に一体化させ、シート状に作成される。
【００１６】
この際シリコンゴム層は1ミリメートルから2ミリメートルが適切であり、厚すぎる場合、装着時に反発力となり口腔内に強い圧力を与え、長時間の装着が困難となる。
【実施例】
【００１７】
シート状に製作された物を、長時間上唇と口腔前庭部に装着し続ける為には、上唇下帯への圧迫を避けなければならないため、各図にある、bの穴が必要となる。
【００１８】
装着時に上唇の奥行きよりも大きくなると、閉口しづらくなるため平面時の短軸の長さは３０ミリメートルから４０ミリメートルとし、長軸の長さは左右の第二小臼歯から第一大臼歯あたりまでとするため、７０ミリメートルから１１０ミリメートルが望ましい。
【００１９】
図３図４にあるように、長辺に凹弧を持たせる事により、最も装着感が良くなり、鼻腔が広がり、豊麗線も伸ばされ、閉口した際の舌、軟口蓋、口腔、咽頭への脳からのコントロール変更が起こり、いびきが解消される。
【産業上の利用可能性】
【００２０】
本考案は、今後も高度化していく高齢化社会で、疾病になる前にいびきを解消する治療手段を持つ鍼灸治療業への通院のきっかけになるよう、販売方法と広告を特化し、また、豊麗線ケアを業として行っている美容系の業界に対して、効果を求めて来店するようになる契機の一つとして有効である。
【符号の説明】
【００２１】
a  口腔粘膜に密着する面である平滑なシリコン面
b     上唇小帯を圧迫しないための穴であって円形の場合
c  軟性スポンジ構造部分
【図１】
0003212458.tif 000003
【図２】
0003212458.tif 000004
【図３】
0003212458.tif 000005
【図４】
0003212458.tif 000006
【図５】
0003212458.tif 000007
【図６】
0003212458.tif 000008
【図７】
0003212458.tif 000009
【図８】
0003212458.tif 000010
【図９】
0003212458.tif 000011
【図１０】
0003212458.tif 000012
【図１１】
0003212458.tif 000013
【手続補正書】
【提出日】平成29年7月5日(2017.7.5)
【手続補正１】
【補正対象書類名】実用新案登録請求の範囲
【補正対象項目名】全文
【補正方法】変更
【補正の内容】
【実用新案登録請求の範囲】
【請求項１】
上唇と口腔前庭部の間に装着するものであって、左右の第二小臼歯から第一大臼歯あたりまでの口腔前庭部を覆うように装着する口腔内装具であって、口腔粘膜に影響を与えない軟性と平滑性を兼ね備えるものであって、平滑面部と軟性スポンジ構造部を持ち、１層目の平滑面はシリコンであって、２層目は軟性のスポンジ構造を有する人体に安全なウレタン素材で構成されたことを特徴とするいびき解消及び豊麗線ケア用口腔内装具。
【請求項２】
請求項１の特徴を持つ口腔内装具であって、非使用時は凹円弧を持った２長辺と２短辺を持つ角丸四角形であって、中央部には円形または楕円形の穴が空いており、全体を長軸に添い二つ折りにして上唇と口腔前庭部の間に挿入して使用する事を特徴とするいびき解消及び豊麗線ケア用口腔内装具。